(57)【要約】【課題】可撓性表示パネル及び該可撓性表示パネルを備える表示装置を提供する。【解決手段】第１領域、第１領域から延びて曲面が備えられた第２領域、及び第２領域に対して折り曲げられた第３領域を備える可撓性基板と、第１領域に位置する第１表示領域と、第２領域に位置する第２表示領域と、第１表示領域または第２表示領域の外郭に位置し、少なくとも一つは第３領域に位置する非表示領域と、第１表示領域及び第２表示領域を封止する封止部材と、を備える可撓性表示パネル。【選択図】図１
2020190730.tif 000002
【特許請求の範囲】
【請求項１】
下部ケース、
前記下部ケース上の前面ケース、および
前記前面ケース上に位置し、第１表示領域、第２表示領域、および非表示領域を有する可撓性基板を有し、
前記第２表示領域は、前記第１表示領域と前記非表示領域に隣接し、かつ、前記第１表示領域と前記非表示領域に挟まれ、
前記非表示領域は、前記下部ケースと前記前面ケースの間の隙間に挿入される表示装置。
【請求項２】
前記前面ケースは、前記下部ケースの方向に湾曲する湾曲部を有する、請求項１に記載の表示装置。
【請求項３】
前記第２表示領域は、前記湾曲部に沿って湾曲する、請求項２に記載の表示装置。
【請求項４】
前記可撓性基板の上にタッチパネルをさらに有し、
前記タッチパネルの端部は、前記隙間に挿入される、請求項２に記載の表示装置。
【請求項５】
前記タッチパネルの前記端部は、前記下部ケースと前記非表示領域の間に挟まれる、請求項４に記載の表示装置。
【請求項６】
前記タッチパネルは、前記端部が前記第１表示領域を形成する面と平行になるように折りたたまれる、請求項４に記載の表示装置。
【請求項７】
前記タッチパネルの上に保護膜をさらに有し、
前記保護膜の両端は、前記湾曲部に沿って湾曲する、請求項４に記載の表示装置。
【請求項８】
前記保護膜の側面は、前記下部ケースと接する、請求項７に記載の表示装置。
【請求項９】
前記第１表示領域と前記第２表示領域は連続する、請求項１に記載の表示装置。
【請求項１０】
前記第１表示領域と前記第２表示領域に映像信号を入力するための映像信号入力部をさらに有する、請求項１に記載の表示装置。
【請求項１１】
前記第１表示領域に映像信号を入力するための第１映像信号入力部、および
前記第２表示領域に映像信号を入力するための第２映像信号入力部をさらに有する、請求項１に記載の表示装置。
【請求項１２】
前記湾曲部は、０．０１ｍｍ以上２０ｍｍ以下の曲率半径を有する、請求項２に記載の表示装置。
【請求項１３】
前記湾曲部は、断面において円の一部を形成する、請求項２に記載の表示装置。
【請求項１４】
前記非表示領域は、前記湾曲部に沿って湾曲する、請求項２に記載の表示装置。
【請求項１５】
前記可撓性基板の端部は、前記非表示領域と前記第２表示領域との間の境界で折りたたまれる、請求項１に記載の表示装置。
【請求項１６】
前記第２表示領域は、断面において四分の一円を形成する、請求項１に記載の表示装置
。
【請求項１７】
前記第１表示領域は実質的に平面である、請求項１に記載の表示装置。
【請求項１８】
前記非表示領域は、全面が前記下部ケースに覆われる、請求項１に記載の表示装置。
【請求項１９】
前記可撓性基板は、前記非表示領域が前記第１表示領域を形成する面と平行になるように折り曲げられる、請求項１に記載の表示装置。
【請求項２０】
前記第１表示領域と前記第２表示領域のうち少なくとも一つは、有機発光素子を含む、請求項１に記載の表示装置。
【請求項２１】
前記可撓性基板と、前記第１表示領域と前記第２表示領域との間にバリア膜をさらに有する、請求項１に記載の表示装置。
【発明の詳細な説明】
【技術分野】
【０００１】
本発明は、可撓性表示パネル(flexible display panes：フレキシブルディスプレイパ
ネル)及び該可撓性表示パネルを備える表示装置に関する。
【背景技術】
【０００２】
表示装置とは、映像信号を表示する装置を意味する。かかる表示装置は、テレビ、コンピュータモニタ、ＰＤＡ、及び最近著しく需要が増加したスマート機器などを含み、外部から入力される映像信号を表示するあらゆる装置を含む概念である。
【０００３】
前記表示装置に、有機発光表示パネル、液晶表示パネル、プラズマディスプレイパネルなどの高画質の平板型表示モジュールが使われている。
【０００４】
前記平板型表示モジュールは、映像を表示する表示領域と、前記表示領域に映像信号を供給するための各種回路及び配線を含む非表示領域とが、表示領域の外郭に非表示領域と同一平面上に配される。
【０００５】
最近、表示装置への高画質及び多様なアプリケーションの要求が増大しつつ、平板型表示モジュールの非表示領域に配される回路及び配線の数が増加しつつある。これによって、非表示領域の面積が増大してユーザが認識する表示領域の比率が低くなるという問題がある。
【０００６】
一方、テレビ、コンピュータモニタに比べて表示画面サイズの小さなスマート機器の場合、表示画面を広げられる多様な方法が摸索されている。
【発明の概要】
【発明が解決しようとする課題】
【０００７】
本発明は、前記のような問題及びその他の問題を解決するためのものであり、広い視野に曲面デザイン要素が加えられてユーザに美感を感じさせ、ユーザに認識される非表示領域を従来より著しく低減させた可撓性表示パネル及びこれを備える表示装置を提供することを目的とする。
【課題を解決するための手段】
【０００８】
本発明の一側面によれば、第１領域、前記第１領域から延びて曲面が備えられた第２領域、及び前記第２領域に対して折り曲げられた第３領域を備える可撓性基板と、前記第１領域に位置する第１表示領域と、前記第２領域に位置する第２表示領域と、前記第１表示領域または第２表示領域の外郭に位置し、少なくとも一つは前記第３領域に位置する非表示領域と、前記第１表示領域及び第２表示領域を封止する封止部材と、を備える可撓性表示パネルを提供する。
【０００９】
前記第１表示領域及び前記第２表示領域は、前記可撓性基板上に境界なしに連続的に位置する。
【００１０】
前記第１表示領域及び前記第２表示領域は、同じ映像信号入力部から入力された映像信号を表示する。
【００１１】
前記第１表示領域及び前記第２表示領域は、別個の映像信号入力部から入力された映像信号を表示する。
【００１２】
前記第２領域の曲面は、所定の曲率半径を持つ。前記曲率半径は、０．０１ｍｍより大きいか、または同一であり、２０ｍｍより小さいか、または同一である。前記曲面は、既定の一定の値の曲率を持つ円周の一部で形成される。
【００１３】
前記第１領域と前記第２領域との境界から前記第２領域上の第２表示領域の端部がなす角は、０°より大きく９０°より小さいか、または同一である。前記第１領域は、実質的に平面を保持する。
【００１４】
前記第３領域は、前記第１領域が表示される方向から視認されないように折り曲げられる。前記第３領域は、前記第１領域を備える面と平行に折り曲げられる。
【００１５】
前記第１表示領域及び第２表示領域のうち少なくとも一つは、有機発光素子を含む。
【００１６】
前記可撓性基板と、前記第１表示領域及び第２表示領域との間にバリア膜がさらに備えられる。
【００１７】
前記封止部材は、可撓性封止薄膜である。
【００１８】
前記可撓性表示パネルの形状を保持する支持手段をさらに備える。前記支持手段は、前記封止部材上に配された透明保護窓である。
【００１９】
前記可撓性基板及び前記封止部材のうち、前記表示領域のイメージが表示される少なくともいずれか一側にタッチパネルがさらに備えられる。前記タッチパネルは、前記可撓性表示パネルの形状に対応するように折り曲げられうる可撓性フィルムを備える。
【００２０】
前記タッチパネルは、前記可撓性フィルム上に位置して前記第１表示領域及び第２表示領域に対応するタッチ領域、及び前記タッチ領域の外郭に位置する配線領域を備える。
【００２１】
本発明の他の側面によれば、第１表示領域と、前記第１表示領域から延びて位置し、既定の曲面を持つ第２表示領域と、前記第２表示領域に対して前記第１表示領域側に折り曲げられ、前記第１表示領域の正面から視認されない非表示領域と、を備える可撓性表示パネルを提供する。
【００２２】
前記第２表示領域は、前記第１表示領域と境界なしに連続的に位置する。前記第１表示領域と前記第２表示領域との境界から前記第２表示領域の端部がなす角は、０゜より大きく９０゜より小さいか、または同一である。
【００２３】
前記非表示領域は、前記第１表示領域と平行に折り曲げられる。
【００２４】
本発明のさらに他の側面によれば、第１表示領域と、前記第１表示領域から延びて位置し、所定の曲面を持つ第２表示領域と、前記第２表示領域に対して前記第１表示領域側に折り曲げられ、前記第１表示領域の正面から視認されない非表示領域と、を備える可撓性表示パネルと、前記可撓性表示パネルの形状を保持する支持部材と、を備える表示装置を提供する。
【００２５】
前記第１表示領域及び第２表示領域のうち少なくとも一つは有機発光素子を備え、前記第１表示領域及び第２表示領域を封止する封止薄膜と、前記封止薄膜上に位置し、前記第１表示領域及び第２表示領域に対応するタッチ領域が備えられた可撓性タッチパネルと、をさらに備える。
【００２６】
前記可撓性タッチパネル上に配され、前記可撓性表示パネル及び該可撓性タッチパネルの第１表示領域及び第２表示領域の形状に対応する透明保護窓がさらに備えられる。
【発明の効果】
【００２７】
前記のような本発明の実施形態による表示装置によれば、次のような効果を提供する。第１に、表示パネルの側面に主表示領域から延びた副表示領域を形成することで表示画面を拡大させる。第２に、副表示領域が曲面に形成されることでグリップ感を向上させる。
【００２８】
第３に、副表示領域が曲面に形成されることで審美感を向上させる。第４に、非表示領域が主表示領域で視認されないため、表示領域の境界がほとんどないと認識される。
【図面の簡単な説明】
【００２９】
【図１】本発明の第１実施形態による可撓性表示パネルを概略的に示す斜視図である。
【図２】図１のII−II線の断面図である。
【図３】第１実施形態の比較例を概略的に示す斜視図である。
【図４】図３のＩＶ−ＩＶ線の断面図である。
【図５】図１及び図２の第１実施形態による可撓性表示パネルの表示領域と、図３及び図４の比較例による可撓性表示パネルの表示領域とを比較した図面である。
【図６】図１の非表示領域が折り曲げられる前の可撓性表示パネルの一例を概略的に示す平面図である。
【図７】図６の第１表示領域及び／または第２表示領域の一例を示す断面図である。
【図８】図６の非表示領域の一例を示す平面図である。
【図９】第１表示領域と第２表示領域とが、相異なる映像信号入力部から入力された映像信号を表示する可撓性表示パネルを概略的に示す斜視図である。
【図１０】第２表示領域と非表示領域との関係を概略的に示す断面図である。
【図１１】第２表示領域と非表示領域との関係を概略的に示す断面図である。
【図１２】図１３の非表示領域が折り曲げられる前の、可撓性表示パネルの一例を概略的に示す平面図である。
【図１３】本発明の第２実施形態による可撓性表示パネルを概略的に示す斜視図である。
【図１４】図１３のＸＩＶ−ＸＩＶ線の断面図である。
【図１５】本発明の第３実施形態によるタッチパネル一体型可撓性表示パネルの断面図である。
【図１６】図１５のタッチパネル一体型可撓性表示パネルの非表示領域が折り曲げられる前の、タッチパネル一体型可撓性表示パネルの断面図である。
【図１７】図１６の分離斜視図である。
【図１８】タッチパネル一体型可撓性表示パネルが透明保護窓及び表示装置のハウジングに結合された例を示す図面である。
【図１９】タッチパネル一体型可撓性表示パネルが透明保護窓及び表示装置のハウジングに結合された例を示す図面である。
【発明を実施するための形態】
【００３０】
以下、添付した図面を参照して本発明の望ましい実施形態を詳細に説明する。図１は、本発明の第１実施形態による可撓性表示パネル１００を概略的に示す斜視図、図２は、図１のＩＩ−ＩＩ線の断面図である。
【００３１】
図１及び図２を参照すれば、本実施形態による可撓性表示パネル１００は、第１表示領域Ｄ１と、第１表示領域Ｄ１の長手方向を基準とした左右（図２に示す視認方向を基準と
した前後）に配された第２表示領域Ｄ２と、第１表示領域Ｄ１または第２表示領域Ｄ２の外郭に配された非表示領域Ｎ１、Ｎ２、Ｎ３、Ｎ４と、を備える。
【００３２】
第１表示領域Ｄ１は実質的に平面を保持し、可撓性表示パネル１００の主表示画面になりうる。
【００３３】
第２表示領域Ｄ２は、所定定の曲率半径Ｒを持つ曲面で形成される。例えば、曲率半径Ｒは０．０１ｍｍより大きいか、または同一であり、２０ｍｍより小さいか、または同一である。曲率半径Ｒが０．０１ｍｍより小さければ、反りストレスにより可撓性表示パネル１００が曲面状態を保持できなくなり、２０ｍｍより大きければ、グリップ感及び／または審美感が低下する。
【００３４】
曲率半径Ｒは一定の値を持つ。したがって、前記曲面は円周の一部として形成される。
【００３５】
第２表示領域Ｄ２は、第１表示領域Ｄ１から延びて第１表示領域Ｄ１との境界なしに第１表示領域Ｄ１に連続して位置する。この時、曲面は、既定の一定の値の曲率Ｒを持つ円周の４分の１以下に形成される。すなわち、第１表示領域Ｄ１と第２領域Ｄ２との境界から第２表示領域Ｄ２の端部までの角度は、０°より大きく９０°以下になる。
【００３６】
第２表示領域Ｄ２は、可撓性表示パネル１００の副表示画面になりうる。前述したように、第２表示領域Ｄ２は、第１表示領域Ｄ１から延びた一定の曲率半径を持つ曲面をなすため、ユーザには、可撓性表示パネル１００の表示画面が第１表示領域Ｄに限定されずに第２表示領域まで拡張されて見られる。すなわち、第２表示領域Ｄ２により全体表示画面を拡大させる。
【００３７】
一方、もし、可撓性表示パネル１００が携帯電話、ＰＤＡなどの手持ち型の小型表示装置に装着される場合、第２表示領域Ｄ２が曲面を形成するためにグリップ感を向上させることができ、曲面による審美感を向上させる。
【００３８】
非表示領域Ｎ１、Ｎ２、Ｎ３、Ｎ４は、第１表示領域Ｄ１または第２表示領域Ｄ２の外郭に配される。本実施形態で非表示領域Ｎ１、Ｎ３は第２表示領域Ｄ２の外郭に配され、非表示領域Ｎ２、Ｎ４は第１表示領域Ｄ１の外郭に配される。
【００３９】
特に、本実施形態で第１表示領域Ｄ１の長手方向に対して左右（図２の視認方向に対して前後）に対向する非表示領域Ｎ１、Ｎ３は、第２表示領域Ｄ２に対して第１表示領域Ｄ１側に折り曲げられている。すなわち、非表示領域Ｎ１、Ｎ３がそれぞれ第１表示領域Ｄ１と平行に配されるように折り曲げられている。したがって、ユーザには、第１表示領域Ｄ１の正面から第１表示領域Ｄ１左右に配された非表示領域Ｎ１、Ｎ３が視認されない。したがって、ユーザには、非表示領域Ｎ１、Ｎ３による第２表示領域Ｄ２の境界がほとんどないと認識される。すなわち、本実施形態による可撓性表示パネル１００は、非表示領域Ｎ１、Ｎ３が小さくなり、その分拡大した表示画面を具現できる。
【００４０】
一方、本実施形態で第１表示領域Ｄ１の長手方向に対して上下に対向する非表示領域Ｎ２、Ｎ４は、第１表示領域Ｄ１が形成する面と平行に配されているが、本発明はこれに限定されるものではない。例えば、第１表示領域Ｄ１に対して上下に対向する非表示領域Ｎ２、Ｎ４は、第１表示領域Ｄ１が対向する方向ｚと逆方向−ｚにさらに折り曲げられてもよい。この場合、ユーザには、非表示領域Ｎ２、Ｎ４による第２表示領域Ｄ２の境界がほとんどないと認識される。したがって、非表示領域Ｎ２、Ｎ４が小さくなり、その分拡大した表示画面を具現できる。
【００４１】
図３は、第１実施形態の比較例として、第２表示領域が備えらず、非表示領域Ｎ１、Ｎ２、Ｎ３、Ｎ４を折り曲げていない平板表示パネル１００'を概略的に示す斜視図であり
、図４は、図３のＩＶ−ＩＶ線の断面図である。
【００４２】
図３及び図４を参照すれば、非表示領域Ｎ１、Ｎ２、Ｎ３、Ｎ４を折り曲げていない平板表示パネル１００'は、表示領域Ｄと、前記表示領域Ｄの外郭に配された非表示領域Ｎ
１、Ｎ２、Ｎ３、Ｎ４とを備える。
【００４３】
前述した本発明の第１実施形態による第２表示領域Ｄ２が備えられていないため、第２表示領域により表示画面を拡大させることができない。また、第２表示領域による曲面が形成されていないため、グリップ感や審美感を向上させることができない。
【００４４】
また、非表示領域Ｎ１、Ｎ３が折り曲げられていないため、ユーザが表示領域Ｄの正面ｚから平板表示パネル１００を眺める時、ユーザには、非表示領域Ｎ１、Ｎ３の元の幅が表示領域Ｄの長手方向に対して左右（図４に示す視認方向に対して前後）を取り囲む境界と認識される。したがって、非表示領域Ｎ１、Ｎ３が視認されないほどの拡大した表示画面を具現できない。
【００４５】
図５は、図１及び図２の第１実施形態による可撓性表示パネル１００の表示領域と、図３及び図４の比較例による可撓性表示パネル１００'の表示領域とを比較したものである
。
【００４６】
図５を参照すれば、第１実施形態による可撓性表示パネル１００は、第１表示領域Ｄ１及び第１表示領域Ｄ１の左右に配された第２表示領域Ｄ２を備える。比較例による可撓性表示パネル１００'は一つの表示領域Ｄのみ備えている。
【００４７】
したがって、第１実施形態による可撓性表示パネル１００は、第２表示領域Ｄ２によりさらに広い表示画面を具現できる。それだけでなく、第１実施形態と比較例との可撓性表示パネル１００、１００'の正面でのサイズが同一ならば、比較例の非表示領域Ｎ１、Ｎ
３が、第１実施形態では視認されないため、非表示領域Ｎ１、Ｎ３ほど第１実施形態の第１表示領域Ｄ１の画面が比較例の表示領域Ｄより拡大する。
【００４８】
比較例による平板表示パネル１００'の場合、非表示領域Ｎ１、Ｎ３の面積を縮めるた
めには、非表示領域Ｎ１、Ｎ３に配される各種回路、配線部の数を低減させるか、またはその線幅を縮めなければならない。しかし、表示装置への高画質及び多様なアプリケーションの要求が増加しつつあるため、回路や配線部の数を低減させるのに限界がある。また、線幅を縮めるのに工程上の難しさがある。しかし、本実施形態による可撓性表示パネル１００は、非表示領域Ｎ１、Ｎ３に配された回路や配線の数を低減させるか、または線幅を縮めることなしにユーザに認識される非表示領域の面積を縮めることができる。
【００４９】
図６は、図１の非表示領域Ｎ１、Ｎ３が折り曲げられる前の可撓性表示パネル１００−Ｂの一例を概略的に示す平面図であり、図７は、図６の第１表示領域Ｄ１及び／または第２表示領域Ｄ２の一例を示す断面図であり、図８は、図６の非表示領域Ｎ１、Ｎ２、Ｎ３、Ｎ４の一例を示す平面図である。
【００５０】
図６ないし図８を参照すれば、非表示領域Ｎ１、Ｎ３が折り曲げられる前の可撓性表示パネル１００−Ｂは、可撓性基板１１１と、可撓性基板１１１上に配されたバリア膜１１２と、バリア膜１１２上に配された第１表示領域Ｄ１、第２表示領域Ｄ２及び非表示領域Ｎ１、Ｎ２、Ｎ３、Ｎ４と、封止部材１１３とを備える。
【００５１】
可撓性基板１１１は、ポリエチレンエーテルフタレート、ポリエチレンナフタレート、ポリカーボネート、ポリアリレート、ポリエーテルイミド、ポリエーテルスルホン、及びポリイミドなどの耐熱性及び耐久性に優れたプラスチックを素材とすることができる。しかし、本発明はこれに限定されず、可撓性のある多様な素材が使われる。
【００５２】
可撓性基板１１１上にバリア膜１１２が備えられる。バリア膜１１２は、無機膜及び有機膜のうち一つ以上の膜で形成される。バリア膜１１２は、不要な成分が可撓性基板１１１を透過して表示領域Ｄに浸透することを防止する。
【００５３】
バリア膜１１２上に、第１表示領域Ｄ１、第２表示領域Ｄ２、及び前記第１表示領域Ｄ１と第２表示領域Ｄ２との外郭に位置する非表示領域Ｎ１、Ｎ２、Ｎ３、Ｎ４が備えられる。
【００５４】
第１表示領域Ｄは映像信号が表示される領域であり、第１表示領域Ｄ１は主表示画面になりうる。第１表示領域Ｄ１は、有機発光素子、液晶表示素子、電気泳動素子などの多様な表示素子（図示せず）が配される。本実施形態では、有機発光素子１２０を例として説明する。また、第１表示領域Ｄ１には、前記表示素子を駆動するための薄膜トランジスタ（図示せず）、キャパシタ（図示せず）などの多様な素子がさらに配される。
【００５５】
第２表示領域Ｄ２は、第１表示領域Ｄ１の左右に延びて配され、映像信号が表示される領域であり、副表示画面になる。第２表示領域Ｄ２には、第１表示領域Ｄ１と同様に有機発光素子、液晶表示素子、電気泳動素子などの多様な表示素子（図示せず）が配される。本実施形態では、有機発光素子１２０を例として説明する。また、第２表示領域Ｄ２には、前記表示素子を駆動するための薄膜トランジスタ（図示せず）、キャパシタ（図示せず）などの多様な素子がさらに配される。
【００５６】
図７を参照すれば、第１表示領域Ｄ１または第２表示領域Ｄ２に少なくとも一つ以上の有機発光素子１２０が備えられる。有機発光素子１２０は、画素電極１２１と、共通層である対向電極１２３と、その間に備えられた有機発光層１２２とを備える。画素電極１２１は、可撓性基板１１１上に形成された駆動薄膜トランジスタＴＦＴ１と電気的に連結される。図７には図示されていないが、有機発光素子１２０は、少なくとも一つのスイッチング薄膜トランジスタ及びストレージキャパシタに電気的に連結されて、第１表示領域Ｄ１または第２表示領域Ｄ２から光を放出する。
【００５７】
第１表示領域Ｄ１に位置する有機発光層１２２から放出される光は、可撓性基板１１１側に放出されるか、または封止部材１１３側に放出される。本実施形態では、封止部材１１３側に映像が表示される前面発光型表示素子を例として説明する。しかし、本発明はこれに限定されず、可撓性基板１１１側に映像が表示される背面発光型表示素子にも適用される。
【００５８】
第２表示領域Ｄ２に位置する有機発光層１２２から放出される光は、第１表示領域Ｄ１と非表示領域Ｎ１、Ｎ３との間に形成された曲面から第２表示領域Ｄ２の外部に光を放出する前面発光型表示素子によって視認者に認識される。
【００５９】
非表示領域Ｎ１、Ｎ２、Ｎ３、Ｎ４には、表示領域Ｄに位置する表示素子に映像信号を供給するための各種回路（図示せず）及び配線（図示せず）などが配される。
【００６０】
図８を参照すれば、非表示領域Ｎ１、Ｎ２、Ｎ３、Ｎ４には、図７に示した有機発光素子１２０の対向電極１２３に電源を供給する電極電源供給ライン１３１及びその端子部１３２が配されている。非表示領域Ｎ１、Ｎ２には、表示領域Ｄに駆動信号を伝達する走査
回路部１３３及びその端子部１３４が配されている。非表示領域Ｎ２、Ｎ３には、表示領域Ｄにデータ信号を伝達するデータ回路部１３５及びその端子部１３６が配されている。非表示領域Ｎ２には、表示領域Ｄに駆動電源を供給する駆動電源配線部１３７及びその端子部１３８が配されている。非表示領域Ｎ２には、前記端子部１３２、１３４、１３６、１３８が配されたパッド部Ｐが配されている。
【００６１】
本実施形態で第１表示領域Ｄ１及び第２表示領域Ｄ２には、同じ電極電源供給ライン１３１、走査回路部１３３、データ回路部１３５及び駆動電源配線部１３７から入力される映像信号が供給される。すなわち、第１表示領域Ｄ１及び第２表示領域Ｄ２は、同じ映像信号入力部から入力された映像信号を表示する。したがって、第１表示領域Ｄ１及び第２表示領域Ｄ２は、全体が一つの表示画面として機能する。
【００６２】
しかし、本発明はこれに限定されず、第１表示領域Ｄ１及び第２表示領域Ｄ２は、相異なる映像信号入力部から入力された映像信号を表示できる。
【００６３】
図９は、第１表示領域Ｄ１及び第２表示領域Ｄ２が、相異なる映像信号入力部から入力された映像信号を表示する可撓性表示パネル１００−１を概略的に示す斜視図である。
【００６４】
図９を参照すれば、第１表示領域Ｄ１は主画面を表示し、第２表示領域Ｄ２は各種アイコンＩなどの副画面を表示できる。この場合、第１表示領域Ｄ１と第２表示領域Ｄ２とは図８と異なって、それぞれ別個の電極電源供給ライン１３１、走査回路部１３３、データ回路部１３５及び駆動電源配線部１３７に連結される。
【００６５】
一方、図８に示した各種回路、配線、及び端子部は、非表示領域Ｎ１、Ｎ２、Ｎ３、Ｎ４を構成する一例示に過ぎない。すなわち、非表示領域Ｎ１、Ｎ２、Ｎ３、Ｎ４を構成する各種回路、配線、及び端子部は、図８に示した構成と異ならせることができるということはいうまでもない。
【００６６】
再び図６を参照すれば、第１表示領域Ｄ１、第２表示領域Ｄ２及び非表示領域Ｎ１、Ｎ２、Ｎ３、Ｎ４上に、少なくとも第１表示領域Ｄ１及び第２表示領域Ｄ２を封止する封止部材１１３が備えられる。封止部材１１３は、封止薄膜であってもよい。封止薄膜は、複数の無機膜、または無機膜と有機膜とが混合された構造で形成される。
【００６７】
図６を参照すれば、可撓性表示パネル１００−Ｂは所定厚さＴを持つ。厚さＴは、可撓性基板１１１、バリア膜１１２、第１表示領域Ｄ１、第２表示領域Ｄ２及び非表示領域Ｎ１、Ｎ２、Ｎ３、Ｎ４が形成された層、及び封止部材１１３の厚さを合せたものでありうる。一方、図６に図示していないが、可撓性基板１１１及び／または封止部材１１３上に保護フィルム（図示せず）などがさらに備えられ、この場合、可撓性表示パネル１００−Ｂの厚さＴは、図６に示したものよりさらに厚い。
【００６８】
図８に示した可撓性表示パネル１００−Ｂの第１表示領域Ｄ１の左右に配された第２表示領域Ｄ２を、既定の曲率半径Ｒを持つように折り曲げ、第２表示領域Ｄ２に連結された非表示領域Ｎ１、Ｎ３を、第２表示領域Ｄ２に対して第１表示領域Ｄ１と平行に配されるように折り曲げれば、図１及び図２に示した、本発明の第１実施形態による可撓性表示パネル１００が形成される。
【００６９】
可撓性表示パネル１００において、第２表示領域Ｄ２は曲面を形成する。第２表示領域Ｄ２は、前記曲面の全体でもよく、一部でもよい。
【００７０】
図１０を参照すれば、第１表示領域Ｄ１は、可撓性表示パネルの第１領域Ｉであり、第
２表示領域Ｄ２は、曲率半径Ｒを持つ円周の４分の１で形成された、第２領域ＩＩの全体である。非表示領域Ｎ３は、第１領域Ｉに平行に折り曲げられた第３領域ＩＩＩの全体である。
【００７１】
言い換えれば、第２領域ＩＩは、既定の曲率半径Ｒを持つ曲面をなし、第１領域Ｉと第２領域ＩＩとの境界から第２領域ＩＩ上の第２表示領域Ｄ２の端部までは、９０°の角θ１を形成する。
【００７２】
図１１を参照すれば、第１表示領域Ｄ１は、可撓性表示パネルの第１領域Ｉであり、第２表示領域Ｄ２は、曲率半径Ｒを持つ円周の４分の１で形成された、第２領域ＩＩの一部である。非表示領域Ｎ３'は、第２領域ＩＩ及び第３領域ＩＩＩにわたっている。
【００７３】
言い換えれば、第２領域ＩＩは、既定の曲率半径Ｒを持つ曲面をなし、第１領域Ｉと第２領域ＩＩとの境界から第２領域ＩＩ上の第２表示領域Ｄ２の端部までは、９０°より小さな角θ２を形成する。
【００７４】
前述した本発明の第１実施形態による可撓性表示パネル１００の場合、第２表示領域Ｄ２が第１表示領域Ｄ１の左右両側に位置する場合について説明したが、本発明はこれらに限定されるものではない。すなわち、第２表示領域Ｄ１は、第１表示領域Ｄ１のいずれか一側に位置しても本発明の思想が適用できるということはいうまでもない。
【００７５】
また、前述した本発明の第１実施形態による可撓性表示パネル１００の場合、第２表示領域Ｄ２の左右に位置する非表示領域Ｎ１、Ｎ３を共に折り曲げた場合について説明したが、本発明はこれに限定されるものではない。すなわち、いずれか一側の非表示領域を折り曲げても本発明の思想が適用できるということはいうまでもない。
【００７６】
図１３は、本発明の第２実施形態による可撓性表示パネル２００を概略的に示す斜視図あり、図１４は、図１３のＸＩＶ−ＸＩＶ線の断面図である。
【００７７】
以下、前述した第１実施形態との差異点を中心として本実施形態を説明する。
【００７８】
図１３及び図１４を参照すれば、可撓性表示パネル２００は、第１表示領域Ｄ１と、第１表示領域Ｄ１の一側に連結された第２表示領域Ｄ２と、第１表示領域Ｄ１及び第２表示領域Ｄ２の外郭に配された非表示領域Ｎ１、Ｎ２、Ｎ３、Ｎ４と、を備える。
【００７９】
第１表示領域Ｄ１は、可撓性表示パネル２００の主表示画面になる。第２表示領域Ｄ２は、可撓性表示パネル２００の副表示画面になる。第２表示領域Ｄ２は、第１表示領域Ｄ１から延びた一定の曲率半径を持つ曲面をなすため、ユーザには、可撓性表示パネル２００の表示画面が第１表示領域Ｄ１に限定されずに第２表示領域Ｄ２まで拡張して見られる。すなわち、第２表示領域により表示画面を拡大させることができる。また、表示領域Ｄ２が曲面を形成するため、グリップ感を向上させることができ、曲面による審美感を向上させることができる。
【００８０】
非表示領域Ｎ２は第２表示領域Ｄ２から延びて形成され、非表示領域Ｎ１、Ｎ３、Ｎ４は第１表示領域Ｄ１の外郭に配される。
【００８１】
非表示領域Ｎ２は、第２表示領域Ｄ２に対して第１表示領域Ｄ１側に折り曲げられている。すなわち、非表示領域Ｎ２は、第１表示領域Ｄ１と平行に配されるように第２表示領域Ｄ２に対して折り曲げられている。したがって、ユーザには、第１表示領域Ｄ１の正面から非表示領域Ｎ２が視認されない。したがって、ユーザには、非表示領域Ｎ２による第
２表示領域Ｄ２の境界がほとんどないと認識される。すなわち、本実施形態による可撓性表示パネル２００は、非表示領域Ｎ２が小さくなったほど拡大した表示画面を具現できる。
【００８２】
この第２実施形態による可撓性表示パネル２００にあっても、非表示領域Ｎ１、Ｎ２、Ｎ３、Ｎ４には、表示領域Ｄ（Ｄ１及びＤ２）に位置する表示素子に映像信号を供給するための各種回路及び配線が図１２に示すように配される。
【００８３】
図１２を参照すれば、非表示領域Ｎ１、Ｎ２、Ｎ３、Ｎ４には、図７に示した有機発光素子１２０の対向電極１２３に電源を供給する電極電源供給ライン２３１及びその端子部２３２が配されている。非表示領域Ｎ１、Ｎ２には、表示領域Ｄに駆動信号を伝達する走査回路部２３３及びその端子部２３４が配されている。非表示領域Ｎ２、Ｎ３には、表示領域Ｄにデータ信号を伝達するデータ回路部２３５及びその端子部２３６が配されている。非表示領域Ｎ２には、表示領域Ｄに駆動電源を供給する駆動電源配線部２３７及びその端子部２３８が配されている。非表示領域Ｎ２には、前記端子部２３２、２３４、２３６、２３８が配されたパッド部Ｐが配されている。
【００８４】
非表示領域Ｎ２に備えられたパッド部Ｐには外装ドライバが装着されるか、またはキャパシタＣがさらに連結される。外装ドライバやキャパシタＣが可撓性表示パネル２００の内部で連結されるため、外装ドライバやキャパシタＣが折り曲げられる部分が発生せず、非表示領域Ｎ２が占める面積をさらに縮めることができる。
【００８５】
前述した本発明の第２実施形態による可撓性表示パネル２００の場合、第２表示領域Ｄ２が第１表示領域Ｄ１の一側のみに位置する場合について説明したが、本発明はこれに限定されるものではない。すなわち、第２表示領域Ｄ１は、第１表示領域Ｄ１の上下両側に位置しても本発明の思想が適用できるということはいうまでもない。また、第２表示領域Ｄ１が第１表示領域Ｄ１の上下左右全体に位置しても本発明の思想が適用できることはいうまでもない。
【００８６】
図１５は、本発明の第３実施形態によるタッチパネル一体型可撓性表示パネル３００の断面図であり、図１６は、図１５のタッチパネル一体型可撓性表示パネル３００の非表示領域Ｎ１、Ｎ３が折り曲げられる前のタッチパネル一体型可撓性表示パネル３００−Ｂの断面図であり、図１７は、図１６の分離斜視図である。
【００８７】
以下、前述した第１及び第２実施形態との差異点を中心として本実施形態を説明する。
【００８８】
図１５を参照すれば、本実施形態によるタッチパネル一体型可撓性表示パネル３００は、前述した第１実施形態による可撓性表示パネル１００にタッチパネル１４０がさらに付着されたものである。
【００８９】
図１６及び図１７を参照すれば、タッチパネル１４０は、第１タッチ領域Ｔ１、第２タッチ領域Ｔ２及び第１タッチ領域Ｔ１と第２タッチ領域Ｔ２の外郭に配された配線領域Ｗ１、Ｗ２、Ｗ３、Ｗ４を備える。本実施形態によるタッチパネル１４０は、静電容量方式、抵抗方式など多様な方式のタッチ方式が適用される。
【００９０】
非表示領域Ｎ１、Ｎ３が折り曲げられる前の可撓性表示パネル１００−Ｂは、第１表示領域Ｄ１及び第２表示領域Ｄ２と、第１表示領域Ｄ１及び第２表示領域Ｄ２の外郭に配された非表示領域Ｎ１、Ｎ２、Ｎ３、Ｎ４とを備える。
【００９１】
タッチパネル１４０の第１タッチ領域Ｔ１と可撓性表示パネル１００−Ｂの第１表示領
域Ｄ１とが互いに対応するように整列され、タッチパネル１４０の第２タッチ領域Ｔ２と可撓性表示パネル１００−Ｂの第２表示領域Ｄ２とが互いに対応するように整列された後、タッチパネル１４０と可撓性表示パネル１００−Ｂとが結合される。
【００９２】
タッチパネル１４０が結合された可撓性表示パネル１００−Ｂは、第１表示領域Ｄ１の左右に配された第２表示領域Ｄ２がユーザに広い表示画面を提供する。
【００９３】
またタッチパネル１４０が結合された可撓性表示パネル１００−Ｂは、第２表示領域Ｄ２に連結された非表示領域Ｎ１、Ｎ３が、第２表示領域Ｄ２に対して第１表示領域Ｄ１側に折り曲げられているため非表示領域Ｎ１、Ｎ３が視認されず、ユーザには、非表示領域Ｎ１、Ｎ３による第２表示領域Ｄ２の境界がほとんどないと認識される。
【００９４】
前述した図面には、可撓性表示パネル１００−Ｂとして、前述した第１実施形態による可撓性表示パネル１００−Ｂが図示されているが、本発明はこれに限定されるものではなく、前述した第１及び第２実施形態による多様な可撓性表示パネルが本実施形態に適用できるということはいうまでもない。
【００９５】
図１８及び図１９は、タッチパネル一体型可撓性表示パネル１００が透明保護窓１５０及び表示装置のハウジングに結合された例を図示している。便宜上、第１実施形態による可撓性表示パネル１００を例として説明するが、本発明はこれに限定されるものではないということはいうまでもない。また、前述したタッチパネル一体型可撓性表示パネル３００にも同等に適用できることはいうまでもない。
【００９６】
図１８及び図１９を参照すれば、可撓性表示パネル１００は可撓性タッチパネル１４０に付着された後、可撓性表示パネル１００の非表示領域が折り曲げられ、第２表示領域が曲面をなすようにベンディングされる。
【００９７】
タッチパネル１４０が付着された可撓性表示パネル１００は、透明保護窓１５０により保護されて支持される。
【００９８】
透明保護窓１５０は、可撓性表示パネル１００の画像が表示される側の上面に、可撓性表示パネル１００の折り曲げられた形状に対応するように結合される。すなわち、透明保護窓１５０は、可撓性表示パネル１００及び前記可撓性タッチパネル１４０の第１表示領域Ｄ１、Ｔ１及び第２表示領域Ｄ２、Ｔ２の形状に対応するように結合される。かかる透明保護窓１５０は、可撓性表示パネル１００の表示画面がよく透過できるほどの透過率を持ち、可撓性表示パネル１００の曲面形状をよく保持できるほどの強度を持つものならば十分である。したがって、透明保護窓１５０は、可撓性表示パネル１００及び／または可撓性タッチパネル１４０を外部の衝撃やスクラッチから保護する役割だけでなく、可撓性表示パネル１００及び／または可撓性タッチパネル１４０の曲面形状を保持する支持手段としても機能する。
【００９９】
もちろん、本発明において、可撓性表示パネル１００及び／または可撓性タッチパネル１４０の曲面形状を保持する支持手段は、前記透明保護窓１５０のみに限定されるものではない。後述する表示装置のフレームやハウジング１６０に、可撓性表示パネル１００及び／または可撓性タッチパネル１４０の曲面形状が保持され、他の多様な支持手段が適用できるということはいうまでもない。
【０１００】
一方、前記図面には図示されていないが、可撓性表示パネル１００と透明保護窓１５０との間に粘着剤などがさらに備えられてもよい。
【０１０１】
透明保護窓１５０及びタッチパネル１４０が付着された可撓性表示パネル１００は、表示装置（図示せず）に結合される。表示装置は、表示装置を保護して支持するフレームやハウジング１６０を備えられるが、本実施形態で、可撓性表示パネル１０はハウジング１６０の前面ケース１６１の上面に付着され、ハウジング１６０の前面ケース１６１と下部ケース１６２との間に形成された開口１６３に、前述した非表示領域Ｎ１、Ｎ３が折り曲げられて載置されることで、非表示領域Ｎ１、Ｎ３が表示装置の外部に視認されることを防止する。
【０１０２】
図１８及び図１９に示した例は、可撓性表示パネル１００が表示装置と結合する一例を示すものであるだけで、通常の技術的知識によって多様な応用が可能であるということはいうまでもない。
【０１０３】
前述したように多様な支持手段により曲面形状が保持される可撓性表示パネルは、テレビ、コンピュータモニタ、ＰＤＡ、スマート機器などの多様な表示装置に統合される。そのため、表示装置を使用するユーザに認識される非表示領域が著しく減少して、他の表示装置に比べて拡大した映像画面を提供できる。また、側面が曲面からなってユーザに向上したグリップ感や審美感を提供できる。
【０１０４】
前記図面に示した構成要素は、説明の便宜上拡大または縮小して表示され、図面に示した構成要素のサイズや形状に本発明が限定されるものではなく、当業者ならば、これより多様な変形及び均等な他の実施形態が可能であるという点を理解できるであろう。したがって、本発明の真の技術的保護範囲は特許請求の範囲の技術的思想によって定められねばならない。
【産業上の利用可能性】
【０１０５】
本発明は、テレビ、コンピュータモニタ、ＰＤＡ、及びスマート機器などの表示装置関連の技術分野に好適に用いられる。
【符号の説明】
【０１０６】
１００  可撓性表示パネル
１１１  可撓性基板
１１２  バリア膜
１１３  封止部材
１２０  有機発光素子
１３１  電極電源供給ライン
１３３  走査回路部
１３５  データ回路部
１３７  駆動電源配線部
１３２、１３４、１３６、１３８  端子部
１４０  タッチパネル
１５０  透明保護窓
Ｄ１  第１表示領域
Ｄ２  第２表示領域
Ｎ１、Ｎ２、Ｎ３、Ｎ４  非表示領域
Ｐ  パッド部
Ｉ  第１領域
ＩＩ  第２領域
ＩＩＩ  第３領域
【図１】
2020190730.tif 000003
【図２】
2020190730.tif 000004
【図３】
2020190730.tif 000005
【図４】
2020190730.tif 000006
【図５】
2020190730.tif 000007
【図６】
2020190730.tif 000008
【図７】
2020190730.tif 000009
【図８】
2020190730.tif 000010
【図９】
2020190730.tif 000011
【図１０】
2020190730.tif 000012
【図１１】
2020190730.tif 000013
【図１２】
2020190730.tif 000014
【図１３】
2020190730.tif 000015
【図１４】
2020190730.tif 000016
【図１５】
2020190730.tif 000017
【図１６】
2020190730.tif 000018
【図１７】
2020190730.tif 000019
【図１８】
2020190730.tif 000020
【図１９】
2020190730.tif 000021
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
下部ケース、
前記下部ケース上の前面ケース、および
前記前面ケース上に位置し、第１表示領域、第２表示領域、および非表示領域を有する可撓性基板を有し、
前記第２表示領域は、前記第１表示領域と前記非表示領域に隣接し、かつ、前記第１表示領域と前記非表示領域に挟まれ、
前記非表示領域は、前記下部ケースと前記前面ケースの間の隙間に挿入される表示装置。